【事件の表示】
　特願２００６−５３７６７８「遊技機における制御基板ユニット」拒絶査定不服審判事件〔平成１８年４月６日国際公開、ＷＯ２００６／３５６１５〕について、次のとおり審決する。
【結　論】
　本件審判の請求は、成り立たない。
【理　由】
第一．手続の経緯
　本願は、平成１７年９月１６日（優先権主張、平成１６年９月２９日、日本国、特願２００４−２８４７４９号）を国際出願日とする出願であって、拒絶理由通知に対応して平成２０年９月１８日に手続補正書が提出され、２回目の拒絶理由通知に対応して平成２１年１月１５日に手続補正書が提出され、その後なされた拒絶査定に対し、同年５月２７日に拒絶査定不服審判が請求されるとともに、手続補正がなされた。
　審判合議体は、平成２２年１月２７日付けで審査官による前置報告書の内容を添付して審尋を行い、請求人から同年３月１９日に回答書が提出された。
　そして、審判合議体によって同年１０月２７日付けで拒絶理由が通知され、これに対して、同年１２月２８日に手続補正がなされた。
　
第二．本願発明
　本願の請求項１に係る発明（以下「本願発明」という。）は、平成２２年１２月２８日付け手続補正書の特許請求の範囲の請求項１に記載された事項により特定される、以下のとおりのものである。
「　遊技を制御する電子部品、及び外部コネクタが接続される基板側コネクタを実装面に取り付けた制御基板を、遊技機器を収容する筐体内に固定されるケース本体と該ケース本体を閉塞するケース蓋体とから成る基板ケース内に収容するとともに、前記ケース蓋体に、前記基板側コネクタを露出させる開口部を設けた遊技機における制御基板ユニットにおいて、
　前記基板側コネクタは、前記制御基板の前記実装面に沿って複数並設されるとともに、前記外部コネクタの側面に設けられた揺動爪片に対して前記外部コネクタの抜け方向へ係合可能な爪部を側面に有し、
　前記ケース蓋体は、前記制御基板の前記実装面における複数の前記基板側コネクタが並設されるコネクタ実装面に対向して当該コネクタ実装面を覆うとともに、前記各基板側コネクタをそれぞれ露出させる複数の前記開口部を設けたコネクタ実装閉塞部と、前記制御基板における前記電子部品が取り付けられる電子部品実装面に対向して前記電子部品実装面を覆い、かつ前記コネクタ実装閉塞部よりも前記制御基板の実装面から離間する電子部品実装閉塞部と、前記コネクタ実装閉塞部と前記電子部品実装閉塞部とを繋ぎ、前記制御基板の前記実装面に対してほぼ直角で、かつ前記各開口部からそれぞれ露出する前記基板側コネクタの前記側面に近設して対向する面を有する起立壁と、前記起立壁の前記面で、かつ前記各開口部からそれぞれ露出する前記各基板側コネクタの前記側面に対向する位置にあって、前記起立壁の前記面よりも前記各基板側コネクタの前記側面から離間する方向へ凹んだ複数の凹部とを含み、
　前記各凹部は、前記基板側コネクタの並設方向に沿って並設されるとともに、前記各開口部にそれぞれ対応し、かつ対応する前記開口部から露出する前記基板側コネクタの前記側面のみに対向して当該対応する前記開口部に隣接する前記開口部から露出する前記基板側コネクタの前記側面には対向しない開口幅であって、前記外部コネクタの前記揺動爪片が設けられた側面を摘んでいる指で、かつ前記起立壁の前記面に対向する指先を嵌り込み可能とし、
　前記制御基板ユニットを前記筐体内に取り付けた状態で前記外部コネクタの前記揺動爪片が設けられた側面を指で摘んで任意の前記基板側コネクタに接続する際、前記外部コネクタの前記揺動爪片が設けられた前記側面を摘んでいる指が前記任意の基板側コネクタに対向する前記凹部に嵌り込むことによって、前記任意の基板側コネクタの位置を確認し得るとともに、前記起立壁の前記面に対向する指先が前記外部コネクタの前記基板コネクタへの差込方向へ移動し得るようにし、
　さらに、前記凹部における前記基板側コネクタの前記側面に対向する凹面を、前記外部コネクタの差し込み方向に向かうにしたがって前記基板側コネクタの前記側面との間隔が漸減するように傾斜させたことを特徴とする遊技機における制御基板ユニット。」
　
第三．特許要件（特許法第２９条第２項）の検討
１．引用刊行物記載事項
　審判合議体が通知した拒絶理由に引用された特開平８−３２３０１６号公報（以下「引用文献Ａ」という。）には以下の事項が記載されている。
【０００１】【産業上の利用分野】本発明は、パチンコ機、アレンジボール機、雀球機等の弾球遊技機の電源コネクタ保護装置に関するものである。
【００４０】払い出し制御ケース47及び球貸し制御ケース49は、図７乃至図１０に示すように、取り付けベース104 を介して通路ユニット44の後側に装着されている。払い出し制御ケース47は、図９乃至図１４に示すように、左右方向に長い矩形状であって、後側に盛り上がったカバー部105 と、このカバー部105 の周囲に一体に形成された段部106 と、この段部106 の周囲に一体に形成された基部側のスカート部107 とを備え、そのスカート部107 に嵌合し且つ段部106 に当接するように４個のネジ109 で払い出し制御基板48が着脱自在に固定されている。
【００４１】スカート部107 にはその左右両端から上下に突出する突出部108 と、右端から側方に突出する上下一対の突出部110 とが夫々設けられている。段部106 にはカバー部105 の上下及び左右に切り欠き部111 が形成され、またカバー部105 の下側には切り欠き部111 の中間部分にコネクタ保護部112 が一体に形成されている。
【００４２】払い出し制御基板48には、賞球払い出し装置42の払い出しモーター43等を制御するＩＣ素子等の回路部品が中央部にプリント配線され、その回路部品がカバー部105 により覆われて保護されている。払い出し制御基板48には、その周縁部に各切り欠き部111 に対応して基板接続コネクタ113 、電源用コネクタピン114 及びその他のコネクタ115 等が配置されている。
【００４３】基板接続コネクタ113 は上下の突出部110 間において、払い出し制御基板48から球貸し制御ケース49側に突出部110 と同程度突出するように、払い出し制御基板48の球貸し制御ケース49側の端縁に固定されている。電源用コネクタピン114は２本であり、その上側近傍のコネクタ係止部116 と組み合わせて払い出し制御基板48に固定されている。
【００４４】電源用コネクタピン114 には、電源コード117 の一端の電源コネクタ118 が着脱自在に接続されている。電源コネクタ118 は、２個の雌型接触子を有するコネクタ本体119 と、このコネクタ本体119 に一体に形成された係合爪120 とを備え、電源用コネクタピン114 に接続した時に係合爪120 がコネクタ係止部116 に係脱自在に係合するようになっている。係合爪120 はその操作部121 をコネクタ本体119 と共に摘んで、操作部121 をコネクタ本体119 側に操作すれば、コネクタ係止部116 から離脱するようになっている。
【００４５】コネクタ保護部112 は、払い出し制御ケース47の下縁側の長い切り欠き部111の途中にあり、カバー部105 から下側に突出する左右一対の側壁122 と、この側壁122 の下端部間を左右に連結する下壁部123 とを一体に備えている。そして、下壁部123 はコネクタ保護部112 でカバー部105 とその基部側の段部106 とを一体に連結するように段部106 に接続されている。そして、コネクタ保護部112 に対応してカバー部105 に指挿入用の凹部124 が形成され、またコネクタピン114に対して指挿入用の凹部124 と反対側の下壁部123 に指挿入用の切り欠き部125が形成され、これらの凹部124 と切り欠き部125 とに指を挿入してコネクタ本体119 と操作部121 とを摘むようになっている。
【００８９】【発明の効果】請求項１に記載の本発明によれば、遊技盤9 を後側から押さえて固定する裏機構板36に、ケース47に収納された制御基板48を装着し、制御基板48の外周側に対応してケース47に切り欠き部111 を形成すると共に、この切り欠き部111 内で制御基板48に電源用のコネクタピン114 を突設し、切り欠き部111 を経てケース47の外側からコネクタピン114 に電源コネクタ118 を着脱自在に接続するようにした弾球遊技機において、ケース47に、制御基板48に装着された回路部品を覆うカバー部105 を基部側よりも高く構成し、このカバー部105 に、電源コネクタ118を着脱自在に取り囲むようにコネクタ保護部112 を一体に形成しているので、次のような顕著な効果を奏する。
　
　引用文献Ａにおける記載事項及び図面を総合的に勘案すれば、引用文献Ａには、次の発明（以下「引用発明」という。）が記載されている。
「　払い出しモーター43等を制御するＩＣ素子等の回路部品が中央部にプリント配線され、電源コネクタ118が着脱自在に接続される電源用コネクタピン114とコネクタ係止部116が固定されている払い出し制御基板48を、取り付けベース104を介して通路ユニット44の後側に装着される払い出し制御ケース47に固定し、該払い出し制御ケース47は、カバー部105と、このカバー部105の周囲に一体に形成された段部106と、この段部106の周囲に一体に形成された基部側のスカート部107とを備え、前記段部106には前記カバー部105の上下及び左右に切り欠き部111が形成され、また前記カバー部105の下側には前記切り欠き部111の中間部分にコネクタ保護部112が一体に形成されている弾球遊技機の電源コネクタ保護装置において、
　前記電源コネクタ118は、２個の雌型接触子を有するコネクタ本体119と、このコネクタ本体119に一体に形成された係合爪120とを備え、前記電源用コネクタピン114に接続した時に前記係合爪120が前記コネクタ係止部116に係脱自在に係合するようになっており、
　前記コネクタ保護部112は、前記カバー部105から下側に突出する左右一対の側壁122と、この側壁122の下端部間を左右に連結する下壁部123とを一体に備え、
　前記カバー部105は、左右方向に長い矩形状であって、後側に盛り上がっており、前記コネクタ保護部112に対応して指挿入用の凹部124が形成され、
　前記下壁部123には指挿入用の切り欠き部125が形成され、前記凹部124と前記切り欠き部125とに指を挿入してコネクタ本体119と操作部121とを摘むようになっている弾球遊技機の電源コネクタ保護装置。」
　
２．引用発明と本願発明との対比
　そこで、本願発明と引用発明とを比較すると、
　引用発明の「払い出しモーター43等を制御するＩＣ素子等の回路部品」は、本願発明の「遊技を制御する電子部品」に相当し、以下同様に、
「電源コネクタ118」は「外部コネクタ」に、
「着脱自在に接続される」は「接続される」に、
「電源用コネクタピン114とコネクタ係止部116」は「基板側コネクタ」に、
「払い出し制御ケース47」は「基板ケース」に、
「払い出し制御ケース47に固定」は「基板ケース内に収容」に、
「カバー部105」は「ケース蓋体」に、
「払い出し制御基板48」は「制御基板」に、
「コネクタ本体119に一体に形成された係合爪120」は「外部コネクタの側面に設けられた揺動爪片」に、それぞれ相当する。
　さらに、引用文献Ａの記載等からみて、以下のことが言える。
　
ａ．引用発明において「回路部品が中央部にプリント配線され」ること、及び「電源用コネクタピン114とコネクタ係止部116が固定されている」ことは、本願発明において「電子部品」及び「基板側コネクタ」を実装面に取り付けることに相当するから、引用発明の「払い出しモーター43等を制御するＩＣ素子等の回路部品が中央部にプリント配線され、電源コネクタ118が着脱自在に接続される電源用コネクタピン114とコネクタ係止部116が固定されている払い出し制御基板48」は、本願発明の「遊技を制御する電子部品、及び外部コネクタが接続される基板側コネクタを実装面に取り付けた制御基板」に相当する。
　
ｂ．引用発明の「段部106」と「スカート部107」は、「カバー部105」とともに「払い出し制御ケース47」を構成しているから、これらは合わせて本願発明の「ケース本体」に相当するものといえる。
　また、「払い出し制御ケース47」は「通路ユニット44の後側に装着される」が引用文献Ａの図２等からみて、その装着位置は遊技機背面の遊技機器を収容する部分と認められるから、本願発明の「遊技機器を収容する筐体内」に相当する部分に固定されるものということができる。
　
ｃ．引用発明の「コネクタ保護部112」は、「カバー部105から下側に突出する左右一対の側壁122と、この側壁122の下端部間を左右に連結する下壁部123」から構成され、引用文献Ａの図９等からみて、「電源用コネクタピン114とコネクタ係止部116」を露出させる開口を形成しているものと認められるから、本願発明の「基板側コネクタを露出させる開口部」に相当するものといえる。
　
ｄ．引用発明の「弾球遊技機の電源コネクタ保護装置」は、本願発明の「遊技機における制御基板ユニット」より、下位概念の用語であるから、「遊技機における制御基板ユニット」と言い換えられることは明らかである。
　
ｅ．引用発明の「コネクタ本体119に一体に形成された係合爪120」は、引用文献Ａの図１２の記載からみてコネクタ本体119の側面に設けられ、該側面に対して離れたり近づいたりする方向に揺動するものと認められるから、本願発明の「外部コネクタの側面に設けられた揺動爪片」に相当するものといえる。
　また、引用発明において「係合爪120」に対して電源コネクタ118の抜け方向へ「コネクタ係止部116」が係合するようになっていること、及び「コネクタ係止部116」が側面部の爪部によって構成されることは、上記図１２の記載から明らかであるから、引用発明は本願発明の「基板側コネクタは、」「前記外部コネクタの側面に設けられた揺動爪片に対して前記外部コネクタの抜け方向へ係合可能な爪部を側面に有し」に相当する構成を備えるものといえる。
　
ｆ．引用発明の「カバー部105から下側に突出する左右一対の側壁122」が、「払い出し制御基板48」の「電源用コネクタピン114とコネクタ係止部116」が固定されている部分の近傍に対向してその基板面を覆っていることは、引用文献Ａの図９の記載等から明らかであり、上記ｃ．で述べたように引用発明の「コネクタ保護部112」は、「電源用コネクタピン114とコネクタ係止部116」を露出させる開口を形成しているものと認められるから、引用発明の「コネクタ保護部112」と本願発明の「コネクタ実装閉塞部」は、“前記制御基板の前記実装面における前記基板側コネクタが設置されるコネクタ実装面に対向して当該コネクタ実装面を覆うとともに、前記各基板側コネクタをそれぞれ露出させる前記開口部を設けたコネクタ実装部”である点では共通している。
　
ｇ．引用発明の「カバー部105」は、左右方向に長い矩形状であること、及び引用文献Ａの図９及び図１２の記載等から「ＩＣ素子等の回路部品が中央部にプリント配線され」る「払い出し制御基板48」の実装面に対向して該実装面を覆っているものと認められ、かつ「カバー部105」の後側に盛り上がっている部分が「コネクタ保護部112」よりも「払い出し制御基板48」の実装面から離間していることも図１２の記載等から明らかであるから、引用発明の「カバー部105」は、本願発明の「前記制御基板における前記電子部品が取り付けられる電子部品実装面に対向して前記電子部品実装面を覆い、かつ前記コネクタ実装閉塞部よりも前記制御基板の実装面から離間する電子部品実装閉塞部」に相当する部分を含むものといえる。
　
ｈ．引用発明の「凹部124」が、「電源用コネクタピン114とコネクタ係止部116」の側面に対向する位置にあって、その側面から離間する方向へ凹んでいることは、引用文献Ａの図１２の記載から明らかであり、上記ｃ．で述べたことから、「電源用コネクタピン114とコネクタ係止部116」は「コネクタ保護部112」の開口から露出するものと認められるから、引用発明の「凹部124」と本願発明の「凹部」は、“開口部から露出する前記基板側コネクタの前記側面に対向する位置にあって、前記基板側コネクタの前記側面から離間する方向へ凹んだ”ものである点では共通している。
　
ｉ．引用発明の「凹部124」は、上記ｃ．ｈ．で述べたこと及び引用文献Ａの図９及び図１２の記載等から「コネクタ保護部112」の開口に対応し、かつ対応する開口から露出する「電源用コネクタピン114とコネクタ係止部116」の側面のみに対向する開口幅であって、「電源コネクタ118」の「操作部121」の側面、すなわち「係合爪120」が設けられた側面を摘んでいる指の指先を嵌り込み可能としていることは明らかである。
　よって、引用発明の「凹部124」と本願発明の「凹部」は、“前記開口部に対応し、かつ対応する前記開口部から露出する前記基板側コネクタの前記側面のみに対向する開口幅であって、前記外部コネクタの前記揺動爪片が設けられた側面を摘んでいる指の指先を嵌り込み可能”である点では共通している。
　
ｊ．引用発明においては、上記ｂ．後段及びｉ．で述べたこと並びに引用文献Ａの段落【００８９】及び図２の記載等から、「払い出し制御ケース47」を本願発明の「遊技機器を収容する筐体内」に相当する部分に取り付けた状態で、「電源コネクタ118」の「係合爪120」が設けられた側面を指で摘んで「電源コネクタ118」を「電源用コネクタピン114とコネクタ係止部116」に接続するものということができ、接続する際に「電源コネクタ118」の「係合爪120」が設けられた側面を摘んでいる指が「電源用コネクタピン114とコネクタ係止部116」の側面に対向する「凹部124」に嵌り込むことによって、その指先が「電源コネクタ118」の「電源用コネクタピン114」への差込方向へ移動し得るようになっていることは当然であるから、引用発明と本願発明は、“前記制御基板ユニットを前記筐体内に取り付けた状態で前記外部コネクタの前記揺動爪片が設けられた側面を指で摘んで前記基板側コネクタに接続する際、前記外部コネクタの前記揺動爪片が設けられた前記側面を摘んでいる指が前記基板側コネクタに対向する前記凹部に嵌り込むことによって、その指先が前記外部コネクタの前記基板コネクタへの差込方向へ移動し得るようにし”ている点では共通している。
　
ｋ．引用文献Ａの図１２の記載から、引用発明の「凹部124」における「電源用コネクタピン114とコネクタ係止部116」の側面に対向する凹面が、「電源コネクタ118」の差し込み方向に向かうにしたがって「電源用コネクタピン114とコネクタ係止部116」の側面との間隔が漸減するように傾斜していることは自明なので、引用発明の「凹部124」は、本願発明の「前記凹部における前記基板側コネクタの前記側面に対向する凹面を、前記外部コネクタの差し込み方向に向かうにしたがって前記基板側コネクタの前記側面との間隔が漸減するように傾斜させた」に相当する構成を備えるものといえる。
　
　以上を総合すると、両者は、
「　遊技を制御する電子部品、及び外部コネクタが接続される基板側コネクタを実装面に取り付けた制御基板を、遊技機器を収容する筐体内に固定されるケース本体と該ケース本体を閉塞するケース蓋体とから成る基板ケース内に収容するとともに、前記ケース蓋体に、前記基板側コネクタを露出させる開口部を設けた遊技機における制御基板ユニットにおいて、
　前記基板側コネクタは、前記外部コネクタの側面に設けられた揺動爪片に対して前記外部コネクタの抜け方向へ係合可能な爪部を側面に有し、
　前記ケース蓋体は、前記制御基板の前記実装面における前記基板側コネクタが設置されるコネクタ実装面に対向して当該コネクタ実装面を覆うとともに、前記各基板側コネクタをそれぞれ露出させる前記開口部を設けたコネクタ実装部と、前記制御基板における前記電子部品が取り付けられる電子部品実装面に対向して前記電子部品実装面を覆い、かつ前記コネクタ実装閉塞部よりも前記制御基板の実装面から離間する電子部品実装閉塞部と、前記開口部から露出する前記基板側コネクタの前記側面に対向する位置にあって、前記基板側コネクタの前記側面から離間する方向へ凹んだ凹部とを含み、
　前記凹部は、前記開口部に対応し、かつ対応する前記開口部から露出する前記基板側コネクタの前記側面のみに対向する開口幅であって、前記外部コネクタの前記揺動爪片が設けられた側面を摘んでいる指の指先を嵌り込み可能とし、
　前記制御基板ユニットを前記筐体内に取り付けた状態で前記外部コネクタの前記揺動爪片が設けられた側面を指で摘んで前記基板側コネクタに接続する際、前記外部コネクタの前記揺動爪片が設けられた前記側面を摘んでいる指が前記基板側コネクタに対向する前記凹部に嵌り込むことによって、その指先が前記外部コネクタの前記基板コネクタへの差込方向へ移動し得るようにし、
　さらに、前記凹部における前記基板側コネクタの前記側面に対向する凹面を、前記外部コネクタの差し込み方向に向かうにしたがって前記基板側コネクタの前記側面との間隔が漸減するように傾斜させたことを特徴とする遊技機における制御基板ユニット。」
の点で一致し、以下の点で相違している。
　
［相違点１］
ア．本願発明は「基板側コネクタは、前記制御基板の前記実装面に沿って複数並設される」のに対し、引用発明の「電源用コネクタピン114とコネクタ係止部116」は、「払い出し制御基板48」に固定されているものの複数並設されるものではない点。
　また、両発明は、この相違点ア．に関連して以下イ．〜エ．の点でも相違している。
イ．本願発明では「開口部」や「凹部」が複数設けられているのに対し、引用発明では「コネクタ保護部112」や「凹部124」は１つしか設けられていない点。
ウ．本願発明の「凹部」は、対応する前記開口部に隣接する前記開口部から露出する前記基板側コネクタの前記側面には対向しないものであるのに対し、引用発明の「凹部124」はそのようなものとはいえない点。
エ．本願発明の「凹部」は、前記任意の基板側コネクタの位置を確認し得る機能を有しているのに対し、引用発明の「凹部124」はそのような機能を有していない点。
　
[相違点２]
　本願発明の「ケース蓋体」は「前記コネクタ実装閉塞部と前記電子部品実装閉塞部とを繋ぎ、前記制御基板の前記実装面に対してほぼ直角で、かつ前記各開口部からそれぞれ露出する前記基板側コネクタの前記側面に近設して対向する面を有する起立壁」を含むのに対し、引用発明の「カバー部105」はそのような構成を含んでいるか明らかでない点。
　そのため、本願発明においては、前記外部コネクタの前記揺動爪片が設けられた側面を摘んでいる指の指先が、前記起立壁の前記面に対向するのに対し、引用発明においては、「電源コネクタ118」の「操作部121」の側面を摘んでいる指の指先がそのような面に対向するものか明らかでない点。
　
３．当審の判断
［相違点１について］
　拒絶査定の理由に引用された実願平３−１０７０４６号（実開平５−５３１５６号）のＣＤ−ＲＯＭ（平成２０年１１月１２日付け拒絶理由通知書の「引用文献４」）には、「相手コネクタハウジング４」を複数並設する点、ひとつの「相手コネクタハウジング４」のみに対向し、その「相手コネクタハウジング４」に隣接する「相手コネクタハウジング４」には対向しない「方形切欠き７」又は「切欠き８」を設ける点が記載され（特に、図１、２及び段落【０００２】【０００６】を参照）、同じく拒絶査定の理由に引用された実願平１−１６６１５号（実開平２−１０８２７０号）のマイクロフィルム（同拒絶理由通知書の「引用文献５」）には、「コネクタ挿入口３」を複数並設する点（特に、第２図及び［従来技術］の項を参照）、ひとつの「コネクタ挿入口３」のみに対向し、その「コネクタ挿入口３」に隣接する「コネクタ挿入口３」には対向しない「指が入る切欠部５」及び「指が入る切欠部６」を設ける点が記載されている（特に、第１図及び［実施例］の項を参照）。
　そうしてみると、コネクタ接続構造として、コネクタ挿入用の開口を複数並設するとともに、ひとつの開口のみに対向しその開口に隣接する開口には対向しない指先案内用の切欠きを設けることは、従来周知の技術（以下「周知技術１」という。）であることが分かる。
　また、コネクタ挿入用の開口を複数並設するとともに、ひとつの開口のみに対向しその開口に隣接する開口には対向しない指先案内用の切欠きを設ければ、その切欠きに指先を持って行くことでコネクタを挿入しようとしている開口の位置を確認できることは、いうまでもないことである。
　そして、遊技機の分野においてコネクタ接続を行うことが頻繁に行われていることを考慮すると、その接続構造について工夫を試みることは、遊技機の分野における通常の知識を有する者（以下「当業者」という。）が適宜行い得る事項であるから、引用発明にコネクタ接続構造に関する周知技術１を適用し、「電源用コネクタピン114とコネクタ係止部116」を「払い出し制御基板48」に複数並設し、「コネクタ保護部112」を複数設けるとともに、「凹部124」をひとつの「コネクタ保護部112」のみに対向しその「コネクタ保護部112」に隣接する「コネクタ保護部112」には対向しないものとして、本願発明における相違点１に係る構成とすることは、当業者が容易に想到し得ることである。
　
［相違点２について］
　遊技機の制御基板をカバーするカバー部材において、回路部品等を閉塞する部分とコネクタ端子を閉塞する部分との間に、前記制御基板の前記実装面に対してほぼ直角で、前記コネクタ端子の側面に近設して対向する面を有する壁部を設けることは、例えば、当審が通知した拒絶理由に示した特開平１０−２６１８７５号公報（特に、段落【００１５】【００１６】及び図２〜４）、特開２００１−２９６２３号公報（特に、段落【００３６】【００４０】及び図７、８、１０）及び特開２００２−３０６７８７号公報（特に、段落【００４７】及び図６、７）に記載されるように、従来周知の技術（以下「周知技術２」という。）である。
　よって、そのような構造を引用発明に適用し、「カバー部105」に形成されている「指挿入用の凹部124」の最も「電源コネクタ118」に近いところから、「払い出し制御基板48」に対してほぼ直角な壁部を設けて、上記相違点２に係る本願発明のような構成とすることは、当業者が容易に想到し得ることである。
　また、そのような構成とすれば、「電源コネクタ118」の「操作部121」の側面を摘んでいる指の指先を「凹部124」に挿入すれば、その壁部の面に対向する状態となることは、引用文献Ａの図１２等の記載からみて明らかである。
　
［相違点の判断のまとめ］
　本願発明の作用効果も、引用発明及び周知技術１、２から当業者が予測できる範囲のものである。
　したがって、本願発明は、引用発明及び周知技術１、２に基いて、当業者が容易に発明をすることができたものである。
　
第四．むすび
　以上のとおり、本願発明は、引用発明及び周知技術１、２に基いて、当業者が容易に発明をすることができたものであり、特許法第２９条第２項の規定により特許を受けることができないから、本願は拒絶すべきものである。
　よって、結論のとおり審決する。